(57)【要約】【課題】クロック発振回路から発生する高調波やスプリアス等のノイズの干渉による受信障害を確実に阻止し得るようにする。【解決手段】選択的に用いられる発振周波数の異なる第１，第２クロック発振回路３２４，３２５と、第１クロック発振回路３２４から発生するノイズのうち放送電波に対して干渉を与えるノイズの周波数が予め記憶された記憶部３２６とを備え、所定のステップ周波数単位で設定された受信周波数に切り換えるときに、その切り換える受信周波数が記憶部３２６に記憶されているノイズの周波数と一致し、かつ当該一致する第１クロック発振回路３２４を用いている場合にノイズの周波数が切り換える受信周波数と一致しない第２クロック発振回路に切り換えるようにする。【選択図】      図１
0003104732.tif 000002
【実用新案登録請求の範囲】
【請求項１】
局部発振回路の発振周波数を設定変更するＰＬＬ回路に対し選局信号を送信することにより所定のステップ周波数単位で設定された受信周波数に切り換え、その切り換えた受信周波数に放送電波が存在する場合に当該放送電波を受信するようにした自動チューニングされるスーパーヘテロダイン方式のラジオ受信機を構成するための選局装置であって、
クロック信号を生成する所定の発振周波数を有する第１クロック発振回路と、受信する放送電波が第１クロック発振回路から発生するノイズにより干渉を受ける場合に第１クロック発振回路に代えて用いる当該第１クロック発振回路とは異なる発振周波数を有するクロック発振回路であり、発生するノイズにより当該放送電波に対して干渉を与えないように発振周波数が選択された第２クロック発振回路と、第１クロック発振回路から発生するノイズのうち放送電波に対して干渉を与えるノイズの周波数が予め記憶された記憶手段と、前記ステップ周波数単位で設定された受信周波数に切り換えるときに、次に切り換える予定の受信周波数が前記記憶手段に記憶されているノイズの周波数と一致するか否かを判別する一致判別手段と、一致する場合で第１クロック発振回路を用いている場合に第２クロック発振回路に切り換えると共に、一致しない場合で第２クロック発振回路を用いている場合に第１クロック発振回路に切り換える切換制御手段とを備えたことを特徴とする選局装置。
【請求項２】
前記切換制御手段は、第１クロック発振回路から第２クロック発振回路への切り換え又は第２クロック発振回路から第１クロック発振回路への切り換えを次の受信周波数に切り換える前に行うようにしたものであることを特徴とする請求項１記載の選局装置。
【請求項３】
前記第１及び第２クロック発振回路はそれぞれ発振素子と当該発振素子に直列接続された電子スイッチ素子とを含み、前記切換制御手段は各電子スイッチ素子をオンオフ制御することによりクロック発振回路を切り換えるようにしたものであることを特徴とする請求項１又は２記載の選局装置。
【請求項４】
局部発振回路の発振周波数を設定変更するＰＬＬ回路に対し選局信号を送信することにより所定のステップ周波数単位で設定された受信周波数に切り換え、その切り換えた受信周波数に放送電波が存在する場合に当該放送電波を受信するようにした自動チューニングされるスーパーヘテロダイン方式のラジオ受信機であって、
クロック信号を生成する所定の発振周波数を有する第１クロック発振回路と、受信する放送電波が第１クロック発振回路から発生するノイズにより干渉を受ける場合に第１クロック発振回路に代えて用いる当該第１クロック発振回路とは異なる発振周波数を有するクロック発振回路であり、発生するノイズにより当該放送電波に対して干渉を与えないように発振周波数が選択された第２クロック発振回路と、第１クロック発振回路から発生するノイズのうち放送電波に対して干渉を与えるノイズの周波数が予め記憶された記憶手段と、前記ステップ周波数単位で設定された受信周波数に切り換えるときに、次に切り換える予定の受信周波数が前記記憶手段に記憶されているノイズの周波数と一致するか否かを判別する一致判別手段と、一致する場合で第１クロック発振回路を用いている場合に第２クロック発振回路に切り換えると共に、一致しない場合で第２クロック発振回路を用いている場合に第１クロック発振回路に切り換える切換制御手段とを備えたことを特徴とするラジオ受信機。
【請求項５】
前記切換制御手段は、第１クロック発振回路から第２クロック発振回路への切り換え又は第２クロック発振回路から第１クロック発振回路への切り換えを次の受信周波数に切り換える前に行うようにしたものであることを特徴とする請求項４記載のラジオ受信機。
【請求項６】
前記第１及び第２クロック発振回路はそれぞれ発振素子と当該発振素子に直列接続された電子スイッチ素子とを含み、前記切換制御手段は各電子スイッチ素子をオンオフ制御することによりクロック発振回路を切り換えるようにしたものであることを特徴とする請求項４又は５記載のラジオ受信機。
【考案の詳細な説明】
【０００１】
【考案の属する技術分野】
本考案は、スーパーヘテロダイン方式のラジオ受信機を構成する選局装置及びラジオ受信機に関する。
【０００２】
【従来の技術】
近年、スーパーヘテロダイン方式を採用したラジオ受信機では、マイクロコンピュータにより自動チューニングするように構成されたものが多用されている。このようなラジオ受信機では、マイクロコンピュータを動作させるクロック発振回路から発生する高調波やスプリアス等のノイズによる干渉を受けてＳ／Ｎ比が悪化したり、ノイズがハイレベルの場合には放送電波と誤認して同調回路がロックされ、スピーカから大きな雑音が出力されたりして正常な受信が阻害されるという事態が生じる。
【０００３】
このため、従来のラジオ受信機では、クロック発振回路から発生する高調波やスプリアス等のノイズの周波数が放送電波の周波数からできるだけ離間した値になるように水晶発振子等の発振素子の基本周波数を適切なものに変更したり、ノイズ発生源を高周波回路部から遠ざけたり、ノイズ発生源をシールドしたりすることにより正常な受信が阻害されないようにしていた。また、クロック発振回路の発振周波数を回路素子の定数を変更させる等してシフトさせることにより正常な受信が阻害されないようにする場合もあった。
【０００４】
【考案が解決しようとする課題】
ところが、発振素子の基本周波数を適切なものに変更する手段では、一定の放送電波には対応できても広い周波数範囲に亘って放送電波が多数存在する場合には十分に対応できないという問題があった。また、ノイズ発生源を高周波回路部から遠ざけたり、ノイズ発生源をシールドしたりする手段では、ラジオ受信機が不可避的に大型化してしまうことから小型化が要望される状況下においては十分な対応が不可能になるという問題があった。さらに、クロック発振回路の発振周波数をシフトさせる手段では、そのシフト量が僅かなものであることから十分な対応が不可能になるという問題があった。
【０００５】
本考案は、このような事情に鑑みてなされたもので、クロック発振回路から発生する高調波やスプリアス等のノイズの干渉による受信障害を確実に阻止し得るようにした選局装置及びラジオ受信機を提供することを目的とする。
【０００６】
【課題を解決するための手段】
上記目的を達成するため、請求項１の考案は、局部発振回路の発振周波数を設定変更するＰＬＬ回路に対し選局信号を送信することにより所定のステップ周波数単位で設定された受信周波数に切り換え、その切り換えた受信周波数に放送電波が存在する場合に当該放送電波を受信するようにした自動チューニングされるスーパーヘテロダイン方式のラジオ受信機を構成するための選局装置であって、クロック信号を生成する所定の発振周波数を有する第１クロック発振回路と、受信する放送電波が第１クロック発振回路から発生するノイズにより干渉を受ける場合に第１クロック発振回路に代えて用いる当該第１クロック発振回路とは異なる発振周波数を有するクロック発振回路であり、発生するノイズにより当該放送電波に対して干渉を与えないように発振周波数が選択された第２クロック発振回路と、第１クロック発振回路から発生するノイズのうち放送電波に対して干渉を与えるノイズの周波数が予め記憶された記憶手段と、前記ステップ周波数単位で設定された受信周波数に切り換えるときに、次に切り換える予定の受信周波数が前記記憶手段に記憶されているノイズの周波数と一致するか否かを判別する一致判別手段と、一致する場合で第１クロック発振回路を用いている場合に第２クロック発振回路に切り換えると共に、一致しない場合で第２クロック発振回路を用いている場合に第１クロック発振回路に切り換える切換制御手段とを備えたことを特徴としている。
【０００７】
この構成によれば、所定のステップ周波数単位で設定された受信周波数に切り換えるときに、次に切り換える予定の受信周波数が予め記憶手段に記憶されている第１クロック発振回路から発生する高調波やスプリアス等のノイズの周波数と一致する場合で、その一致する第１クロック発振回路を用いている場合にノイズによる干渉を受けない第２クロック発振回路に切り換えられることになる。また、次に切り換える予定の受信周波数が予め記憶手段に記憶されている第１クロック発振回路から発生するノイズの周波数と一致しない場合で、第２クロック発振回路を用いている場合に第１クロック発振回路に切り換えられることになる。このため、クロック発振回路から発生するノイズの干渉による受信障害を確実に阻止し得る選局装置が実現され、これにより信頼性の高いラジオ受信機を構成することが可能になる。
【０００８】
なお、受信周波数とは、予め規定されたステップ周波数単位毎に設定されている放送電波の存在する可能性のある周波数をいう。すなわち、放送電波は、このステップ周波数単位毎に設定されている周波数上にしか存在しないことになる。また、受信周波数がノイズの周波数と一致する場合とは、その受信周波数とノイズの周波数とがぴったり一致する場合だけではなく、互いの中心周波数が多少ずれている場合であってもその受信周波数に放送電波が存在する場合にノイズの干渉を受けて受信障害が生じるすべての場合を含むものである。
【０００９】
また、請求項２の考案は、請求項１に係るものにおいて、前記切換制御手段が、第１クロック発振回路から第２クロック発振回路への切り換え又は第２クロック発振回路から第１クロック発振回路への切り換えを次の受信周波数に切り換える前に行うようにしたものであることを特徴としている。
【００１０】
この構成によれば、次の受信周波数への切り換えが行われるまでに第１クロック発振回路から第２クロック発振回路への切り換え、あるいは第２クロック発振回路から第１クロック発振回路への切り換えが行われるので、その切り換え予定の受信周波数に放送電波が存在する場合であっても受信障害が生じない状態で速やかにその受信周波数に切り換えられることになる。このため、クロック発振回路から発生するノイズの干渉による受信障害を確実に阻止し得る選局装置が実現され、これにより信頼性の高いラジオ受信機を構成することが可能になる。
【００１１】
また、請求項３の考案は、請求項１又は２に係るものにおいて、前記第１及び第２クロック発振回路がそれぞれ発振素子と当該発振素子に直列接続された電子スイッチ素子とを含み、前記切換制御手段が各電子スイッチ素子をオンオフ制御することによりクロック発振回路を切り換えるようにしたものであることを特徴としている。
【００１２】
この構成によれば、電子スイッチ素子がオンにされたクロック発振回路が駆動され、これにより受信した放送電波の周波数がクロック発振回路から発生する高調波やスプリアス等のノイズの周波数と一致しないクロック発振回路に切り換えられることになる。このため、ノイズの干渉による受信障害を確実に阻止し得る選局装置が容易に実現され、これにより信頼性の高いラジオ受信機を構成することが可能になる。
【００１３】
また、請求項４の考案は、局部発振回路の発振周波数を設定変更するＰＬＬ回路に対し選局信号を送信することにより所定のステップ周波数単位で設定された受信周波数に切り換え、その切り換えた受信周波数に放送電波が存在する場合に当該放送電波を受信するようにした自動チューニングされるスーパーヘテロダイン方式のラジオ受信機であって、クロック信号を生成する所定の発振周波数を有する第１クロック発振回路と、受信する放送電波が第１クロック発振回路から発生するノイズにより干渉を受ける場合に第１クロック発振回路に代えて用いる当該第１クロック発振回路とは異なる発振周波数を有するクロック発振回路であり、発生するノイズにより当該放送電波に対して干渉を与えないように発振周波数が選択された第２クロック発振回路と、第１クロック発振回路から発生するノイズのうち放送電波に対して干渉を与えるノイズの周波数が予め記憶された記憶手段と、前記ステップ周波数単位で設定された受信周波数に切り換えるときに、次に切り換える予定の受信周波数が前記記憶手段に記憶されているノイズの周波数と一致するか否かを判別する一致判別手段と、一致する場合で第１クロック発振回路を用いている場合に第２クロック発振回路に切り換えると共に、一致しない場合で第２クロック発振回路を用いている場合に第１クロック発振回路に切り換える切換制御手段とを備えたことを特徴としている。
【００１４】
この構成によれば、所定のステップ周波数単位で設定された受信周波数に切り換えるときに、次に切り換える予定の受信周波数が予め記憶手段に記憶されている第１クロック発振回路から発生する高調波やスプリアス等のノイズの周波数と一致する場合で、その一致する第１のクロック発振回路を用いている場合にノイズによる干渉を受けない第２クロック発振回路に切り換えられることになる。また、次に切り換える予定の受信周波数が予め記憶手段に記憶されている第１クロック発振回路から発生するノイズの周波数と一致しない場合で、第２クロック発振回路を用いている場合に第１クロック発振回路に切り換えられることになる。このため、クロック発振回路から発生するノイズの干渉による受信障害を確実に阻止し得るラジオ受信機が実現される。
【００１５】
なお、受信周波数とは、予め規定されたステップ周波数単位毎に設定されている放送電波の存在する可能性のある周波数をいう。すなわち、放送電波は、このステップ周波数単位毎に設定されている周波数上にしか存在しないことになる。また、受信周波数がノイズの周波数と一致する場合とは、その受信周波数とノイズの周波数とがぴったり一致する場合だけではなく、互いの中心周波数が多少ずれている場合であってもその受信周波数に放送電波が存在する場合にノイズの干渉を受けて受信障害が生じるすべての場合を含むものである。
【００１６】
また、請求項５の考案は、請求項４に係るものにおいて、前記切換制御手段が、第１クロック発振回路から第２クロック発振回路への切り換え又は第２クロック発振回路から第１クロック発振回路への切り換えを次の受信周波数に切り換える前に行うようにしたものであることを特徴としている。
【００１７】
この構成によれば、次の受信周波数への切り換えが行われるまでに第１クロック発振回路から第２クロック発振回路への切り換え、あるいは第２クロック発振回路から第１クロック発振回路への切り換えが行われるので、その切り換え予定の受信周波数に放送電波が存在する場合であっても受信障害が生じない状態で速やかにその受信周波数に切り換えられることになる。このため、クロック発振回路から発生するノイズの干渉による受信障害を確実に阻止し得るラジオ受信機が実現される。
【００１８】
また、請求項６の考案は、請求項４又は５に係るものにおいて、前記第１及び第２クロック発振回路がそれぞれ発振素子と当該発振素子に直列接続された電子スイッチ素子とを含み、前記切換制御手段が各電子スイッチ素子をオンオフ制御することによりクロック発振回路を切り換えるようにしたものであることを特徴としている。
【００１９】
この構成によれば、電子スイッチ素子がオンにされたクロック発振回路が駆動され、これにより受信した放送電波の周波数がクロック発振回路から発生する高調波やスプリアス等のノイズの周波数と一致しないクロック発振回路に切り換えられることになる。このため、ノイズの干渉による受信障害を確実に阻止し得るラジオ受信機が容易に実現される。
【００２０】
【考案の実施の形態】
図１は、本考案の一実施形態に係る選局装置が適用されるラジオ受信機の基本構成を示すブロック図である。この図において、ラジオ受信機１０は、民生用のものであり、放送電波を受信するアンテナ１２と、アンテナ１２から入力された受信信号を増幅する高周波増幅回路１４と、局部発振信号を生成する局部発振回路１６と、局部発振回路１６で生成される局部発振信号の周波数を設定変更するＰＬＬ（Ｐｈａｓｅ−Ｌｏｃｋｅｄ  Ｌｏｏｐ）回路１８と、高周波増幅回路１４で増幅された受信信号と局部発振回路１６で生成された局部発振信号とで受信信号を所定の中間周波数に変換する混合回路２０とを備えている。なお、局部発振回路１６及び混合回路２０により周波数変換回路が構成される。
【００２１】
また、ラジオ受信機１０は、混合回路２０で得られた中間周波信号を増幅する中間周波増幅回路２２と、増幅された中間周波信号を復調する復調回路２４と、音声をミュートするためのミュート回路２６と、復調された低周波信号を増幅する低周波増幅回路２８と、増幅された低周波信号を音声として出力する音声出力手段であるスピーカ３０と、ＰＬＬ回路１８に対し選局信号を送信する制御部（システムコントローラ）３２とを備えている。なお、このラジオ受信機１０は、本実施形態では、ＦＭ放送（ＦＭ）、短波放送（ＳＷ）、中波放送（ＭＷ）、長波放送（ＬＷ）等の広帯域の放送電波を受信可能に構成したものである。
【００２２】
また、ＰＬＬ回路１８は、例えば、プログラマブル分周器、位相比較器、ＶＣＯ（Ｖｏｌｔａｇｅ  Ｃｏｎｔｒｏｌｌｅｄ  Ｏｓｃｉｌｌａｔｏｒ）、低域フィルタ等からなる公知の構成のものであり、プログラマブル分周器に制御部３２から選局信号（周波数データ）が供給されることで出力される電圧が局部発振回路１６に設けられた可変容量ダイオードに印加され、これにより局部発振回路１６の発信周波数が可変されるようにしたものである。また、高周波増幅回路１４や混合回路２０等の他の回路も公知の構成のものであるため、それらの詳細な説明を省略する。
【００２３】
制御部３２は、マイクロコンピュータにより構成されたものであり、所定の演算処理を実行するＣＰＵ（Ｃｅｎｔｒａｌ  Ｐｒｏｃｅｓｓｉｎｇ  Ｕｎｉｔ）３２１と、所定の処理プログラム及びデータが記録されたＲＯＭ（Ｒｅａｄ−Ｏｎｌｙ  Ｍｅｍｏｒｙ）３２２と、データを一時的に記録するＲＡＭ（Ｒａｎｄｏｍ  Ａｃｃｅｓｓ  Ｍｅｍｏｒｙ）３２３と、ＣＰＵ３２１の動作速度を決めるクロック信号を生成する第１クロック発振回路３２４と、第１クロック発振回路３２４よりも低い発振周波数のクロック信号を生成する第２クロック発振回路３２５とを備えている。
【００２４】
また、制御部３２は、第１クロック発振回路３２４から発生する高調波やスプリアス等の複数のノイズの周波数が記憶されているＲＯＭ等からなる記憶部３２６を備えている。なお、制御部３２を構成するＣＰＵ３２１には、受信する放送電波（放送局）を切り換える操作等を行うための操作スイッチ３４と、受信周波数等を表示する表示部３６とが接続されている。
【００２５】
第１クロック発振回路３２４は、例えば発振周波数が７．２００ＭＨｚに設定されたもので、水晶発振子等からなる第１発振素子３２４ａと、この第１発振素子３２４ａに直列接続され、ＣＰＵ３２１から供給される駆動信号によりオンオフ制御される電子スイッチ素子であるＮＰＮ型トランジスタからなる第１スイッチ部３２４ｂとから構成されている。この第１スイッチ部３２４ｂはベース抵抗３２４ｃを介して所定のベース電流が供給されることでオンとなり、これにより第１発振素子３２４ａが駆動されるようになっている。
【００２６】
また、第２クロック発振回路３２５は、例えば発振周波数が４．３３２ＭＨｚに設定されたもので、水晶発振子等からなる第２発振素子３２５ａと、この第２発振素子３２５ａに直列接続され、ＣＰＵ３２１から供給される駆動信号によりオンオフ制御される電子スイッチ素子であるＮＰＮ型トランジスタからなる第２スイッチ部３２５ｂとから構成されている。この第２スイッチ部３２５ｂはベース抵抗３２５ｃを介して所定のベース電流が供給されることでオンとなり、これにより第２発振素子３２５ａが駆動されるようになっている。
【００２７】
なお、第１スイッチ部３２４ｂがオンのときは第２スイッチ部３２５ｂはオフとなり、第２スイッチ部３２５ｂがオンのときは第１スイッチ部３２５ｂはオフとなるようになっており、いずれか一方のクロック発振回路（第１クロック発振回路３２４又は第２クロック発振回路３２５）が選択的に用いられるようになっている。また、第１，第２発振素子３２４ａ，３２５ａの各一端側には第１，第２スイッチ部３２４ｂ，３２５ｂを介してアースとの間に共通の安定用コンデンサ３２７が接続され、第１，第２発振素子３２４ａ，３２５ａの各他端側にはアースとの間に共通の安定用コンデンサ３２８が接続されている。
【００２８】
また、記憶部３２６への第１クロック発振回路３２４から発生する高調波やスプリアス等のノイズの周波数の記録は次のような確認作業を経て行われたものである。すなわち、ラジオ受信機１０の設計段階で、シールドルーム内等の外来電波の存在しない環境下において、所定の発振周波数に設定してある第１クロック発振回路３２４を駆動させ、その高調波やスプリアス等のノイズが高周波増幅回路１４や局部発振回路１６等の高周波回路に混入する状況をスペクトラムアナライザにより観測し、各ノイズの周波数を記録する。
【００２９】
次に、第１クロック発振回路３２４よりも低い発振周波数に設定してある第２クロック発振回路３２５を駆動させ、その高調波やスプリアス等のノイズが高周波増幅回路１４や局部発振回路１６等の高周波回路に混入する状況をスペクトラムアナライザにより観測し、各ノイズの周波数を記録する。
【００３０】
このような観測を各バンド毎（ＦＭ，ＳＷ，ＭＷ，ＬＷ等）に、第１，第２クロック発振回路３２４，３２５を発振周波数の異なるものに順次取り換えて繰り返して行い、第１クロック発振回路３２４から発生する高調波やスプリアス等のノイズにより干渉を受ける放送電波（放送局）においては第２クロック発振回路３２５から発生する高調波やスプリアス等のノイズによっては干渉を受けないようになるまで繰り返し、第１，第２クロック発振回路３２４，３２５の各発振周波数を決定する。
【００３１】
このようなカット＆トライ法により第１，第２クロック発振回路３２４，３２５の各発振周波数が決定された後、その第１クロック発振回路３２４による高調波やスプリアス等のノイズの周波数を各受信バンド毎に放送電波に干渉を与える可能性のあるものについて記憶部３２６に記憶させる。第１クロック発振回路３２４の発振周波数は上記のように７．２００ＭＨｚに設定されており、例えば米国のＦＭ放送バンドにおける放送電波に干渉を与える可能性のあるノイズは、例えば１０個存在する。
【００３２】
このため、米国におけるＦＭ放送バンドについては、これら１０個のノイズの周波数が記憶部３２６に記憶される。同様に、他の受信バンドについても放送電波に干渉を与える可能性のあるノイズの周波数がそれぞれ記憶部３２６に記憶される。これらのノイズの周波数は、ピーク値に対し所定幅を有しており、放送電波に干渉を与える可能性のある所定幅を有する周波数が記憶部３２６に記憶される（例えば、ピーク値が９９．０ＭＨｚのノイズが存在する場合、９８．７〜９９．２ＭＨｚの範囲の周波数が記憶される。）。
【００３３】
なお、本実施形態では、上記したように放送局の送信周波数を規定したステップ周波数を考慮し、放送電波（放送局）の存在する可能性のある周波数と一致乃至は近似する周波数のノイズ（すなわち、放送電波に対して干渉を与えるノイズ）のみが記憶されるようになっている。すなわち、世界各国の放送局は必ず規定されたステップ周波数に関連する周波数上に存在することになるため、ＰＬＬ回路１８に送信する選局信号をステップ周波数単位（間隔）で設定するようにしておくことで、第１，第２クロック発振回路３２４，３２５から発生する高調波やスプリアス等のノイズのうち放送電波に対して干渉を与える虞のあるノイズ以外のノイズについては無視することができ、記憶部３２６に記憶させておく必要がなくなる。
【００３４】
このため、記憶部３２６は、記憶容量の小さなものでよいことになってコストダウンに貢献し得る。この記憶部３２６として、ＲＯＭ３２２を用いることもできる。勿論、ステップ周波数とは無関係にすべてのノイズを記憶部３２６に記憶させておくようにすることも可能であることはいうまでもない。
【００３５】
また、ＣＰＵ３２１には、受信機能制御部３２１ａ、第１判別部３２１ｂ、第２判別部３２１ｃ、第３判別部３２１ｄ、第４判別部３２１ｅ及び切換制御部３２１ｆとしての機能実現手段を備えている。受信機能制御部３２１ａは、操作スイッチ３４を操作することにより実行される自動チューニング機能やミュート機能等のラジオ受信機としての種々の機能を制御するものである。例えば、自動チューニング機能について言えば、図略の設定スイッチにより所定の受信バンドに設定した後、オートシーク選局を選択して操作スイッチ３４をオン操作すると、ＰＬＬ回路１８に対しステップ周波数単位で設定された選局信号が所定のタイミングで順次供給される。これにより、ＰＬＬ回路１８から局部発振回路１６に供給される電圧が可変されることにより局部発振回路１６の発振周波数が低い値から高い値（又は、高い値から低い値）に順次変更され、ステップ周波数単位で設定された受信周波数に順次切り換えられることになる。
【００３６】
第１判別部３２１ｂは、ステップ周波数単位で設定された受信周波数に切り換えるときに、その切り換え予定の受信周波数が記憶部３２６に記憶されている第１クロック発振回路３２４のノイズの周波数と一致するか否かを判別するものである。この受信周波数とノイズ周波数との一致判別とは、受信周波数がノイズの所定幅の周波数範囲内に存在するか否かを判別することをいう。すなわち、この周波数範囲は、受信周波数がノイズにより干渉を受ける虞があるノイズ干渉領域となるものである。
【００３７】
第２判別部３２１ｃは、ＰＬＬ回路１８がロックされたか否かを判別するものである。この判別は、制御部３２からＰＬＬ回路１８に対し選局信号が送信された後にロックビットの状態が「ハイ」（又は、「ロー」）になったか否かを検出することにより実行される。
【００３８】
第３判別部３２１ｄは、切り換えられた受信周波数に放送電波（放送局）が存在するか否かを判別するものである。この判別は、放送電波の周波数と局部発振回路１６の発振周波数とにより生成される中間周波信号（例えば、ＦＭ放送の場合には、１０．７ＭＨｚ）が存在するか否かを検出することで実行される。すなわち、切り換え予定の受信周波数に放送電波が存在する場合には所定の中間周波信号が存在し、切り換え予定の受信周波数に放送電波が存在しない場合には中間周波信号が存在しないので、この中間周波信号の有無により判別が可能となる。
【００３９】
第４判別部３２１ｅは、放送電波を受信している状態において、操作スイッチ３４が新たに操作されて次の選局指示が行われた否かを判別する。この判別は、放送電波を受信しているときに操作スイッチ３４から送出された操作信号を検出することで実行される。
【００４０】
切換制御部３２１ｆは、切り換え予定の受信周波数が記憶部３２６に記憶されている第１クロック発振回路３２４のノイズの周波数と一致するとき等に、第２クロック発振回路３２５に切り換えるものである。すなわち、切り換え予定の受信周波数と第１クロック発振回路３２４から発生するノイズの周波数とが一致する場合、第１スイッチ部３２４ｂへの駆動信号の供給が停止される一方、第２スイッチ部３２５ｂに駆動信号が供給されて第２クロック発振回路３２５が駆動されるようになっている。
【００４１】
これにより、切り換え予定の受信周波数に放送電波が存在している場合でも、クロック発振回路のノイズによる干渉を受けないようにすることができる。なお、切り換え予定の受信周波数と第１クロック発振回路３２４から発生するノイズの周波数とが一致しない場合は、第１スイッチ部３２４ｂへの駆動信号の供給は継続された状態となる。
【００４２】
また、切換制御部３２１ｆは、第１クロック発振回路３２４から第２クロック発振回路３２５に切り換えられた後、放送電波が第２クロック発振回路３２５のノイズの干渉を受ける虞があるときは第２クロック発振回路３２５を第１クロック発振回路３２４に切り換える。なお、ラジオ受信機１０の動作初期時においては、第１クロック発振回路３２４が作動するように設定されている。
【００４３】
図２及び図３は、制御部３２のチューニング動作の一例を概略的に示すフローチャートである。ここでは、米国のＦＭ放送バンドでオートシーク選局を選択した場合の動作を例に説明する。また、ラジオ受信機１０の電源をオンにした直後においては、制御部３２は第１クロック発振回路３２４により動作するようにプログラムされている。なお、米国のＦＭ放送バンドは、８７．５〜１０７．９ＭＨｚの周波数範囲に設定され、例えば１００ＫＨｚ間隔（ステップ周波数１００ＫＨｚの場合）で放送局が存在し得るようになっている。
【００４４】
いま、ラジオ受信機１０の電源がオンにされた状態において、操作スイッチ３４を操作すると、記憶部３２６に記憶されている第１クロック発振回路３２４から発生するノイズが検索され、次の切り換え予定の受信周波数（例えば、８７．５ＭＨｚから８７．６ＭＨｚへの切り換え）が第１クロック発振回路３２４のノイズの干渉領域内にあるか否かが第１判別部３２１ｂにより判別される（ステップＳ１）。
【００４５】
このステップＳ１での判別が否定されると、次の受信周波数に切り換えるための選局信号（例えば、８７．５ＭＨｚから８７．６ＭＨｚへ切り換えるための選局信号）が受信機能制御部３２１ａによりＰＬＬ回路１８に送信され（ステップＳ３）、引き続いてＰＬＬ回路１８がロックされたか否かが第２判別部３２１ｃにより判別される（ステップＳ５）。このステップＳ５での判別が肯定されると、切り換えられた受信周波数に放送電波が存在しているか否かが第３判別部３２１ｄにより判別される（ステップＳ７）。なお、ステップＳ５での判別が否定されたときは、判別が肯定されるまで待機する。
【００４６】
ステップＳ７での判別が肯定されると、その切り換えられた受信周波数での放送電波が受信され、受信障害の生じない良好な受信状態が維持される。なお、ＰＬＬ回路１８がロックされるまでのチューニング動作が継続されている期間は、受信機能制御部３２１ａによりミュート回路２６が作動されて音声出力がミュートされるようになっており、不要な雑音等がスピーカ３０から出力されないようになっている。
【００４７】
次いで、放送電波が受信されている状態において、操作スイッチ３４が操作されたか否か（すなわち、次の選局操作が行われたか否か）が第４判別部３２１ｅにより判別され（ステップＳ９）、この判別が否定されると放送電波の受信状態が継続される。また、ステップＳ７での判別が否定されたとき、及び、ステップＳ９での判別が肯定されたときは、ステップＳ１に移行して以降のステップが繰り返し実行される。
【００４８】
なお、ステップＳ７又はステップＳ９からステップＳ１に移行したとき、予め設定されているステップ周波数単位での次の切り換え予定の受信周波数（例えば、８７．６ＭＨｚから８７．７ＭＨｚへの切り換え）が第１クロック発振回路３２４のノイズの干渉領域内にあるか否かが第１判別部３２１ｂにより判別されることになる。
【００４９】
一方、ステップＳ１での判別が肯定されると、切り換え予定の受信周波数（例えば、８７．５ＭＨｚから８７．６ＭＨｚへの切り換え）に放送電波が存在している場合に受信障害が生じる虞があるので、実際に放送電波が存在しているかどうかとは関係なく切換制御部３２１ｆにより第１クロック発振回路３２４から第２クロック発振回路３２５への切り換えが行われる（ステップＳ１１）。この切り換えに要する時間は例えば６ｍｓ程度という短時間であり、ＣＰＵ３２１の動作に影響を与えることはない。
【００５０】
そして、この切り換えと略同時に、第２クロック発振回路３２５のクロック周波数による動作状態で、次の受信周波数に切り換えるための選局信号（例えば、８７．５ＭＨｚから８７．６ＭＨｚへ切り換えるための選局信号）が受信機能制御部３２１ａによりＰＬＬ回路１８に送信され（ステップＳ１３）、引き続いてＰＬＬ回路１８がロックされたか否かが第２判別部３２１ｃにより判別される（ステップＳ１５）。
【００５１】
このステップＳ１５での判別が肯定されると、切り換えられた受信周波数に放送電波が存在しているか否かが第３判別部３２１ｄにより判別される（ステップＳ１７）。なお、ステップＳ１５での判別が否定されたときは、判別が肯定されるまで待機する。そして、ステップＳ１７での判別が肯定されると、その切り換えられた受信周波数での放送電波が受信され、受信障害の生じない良好な受信状態が維持される。なお、上記したように、ＰＬＬ回路１８がロックされるまでのチューニング動作が継続されている期間は、受信機能制御部３２１ａによりミュート回路２６が作動されて音声出力がミュートされるようになっており、不要な雑音等がスピーカ３０から出力されないようになっている。
【００５２】
次いで、放送電波が受信されている状態において、操作スイッチ３４が操作されたか否か（すなわち、次の選局操作が行われたか否か）が第４判別部３２１ｅにより判別され（ステップＳ１９）、この判別が否定されると放送電波の受信状態が継続される。また、ステップＳ１７での判別が否定されたとき、及び、ステップＳ１９での判別が肯定されたときは、記憶部３２６に記憶されている第１クロック発振回路３２４から発生するノイズが検索され、次に切り換え予定の受信周波数が第１クロック発振回路３２４のノイズの干渉領域内にあるか否かが第１判別部３２１ｂにより判別される（ステップＳ２１）。
【００５３】
すなわち、ステップＳ１７又はステップＳ１９からステップＳ２１に移行したとき、予め設定されているステップ周波数単位での次の切り換え予定の受信周波数（例えば、８７．６ＭＨｚから８７．７ＭＨｚへの切り換え）が第１クロック発振回路３２４のノイズの干渉領域内にあるか否かが第１判別部３２１ｂにより判別されることになる。
【００５４】
そして、ステップＳ２１での判別が否定されると、切り換え予定の受信周波数（例えば、８７．６ＭＨｚから８７．７ＭＨｚへの切り換え）に放送電波が存在している場合に受信障害が生じる虞があるので、実際に放送電波が存在しているかどうかとは関係なく切換制御部３２１ｆにより第２クロック発振回路３２５から第１クロック発振回路３２４への切り換えが行われ（ステップＳ２３）、その後にステップＳ３に移行して以降のステップが繰り返し実行される。
【００５５】
すなわち、ステップＳ２１での判別が否定されたときは、少なくとも第１クロック発振回路３２４により生じるノイズの干渉を受ける虞がないので、第２クロック発振回路３２５から第１クロック発振回路３２４への切り換えが行われるようになっている。勿論、受信周波数によっては、第２クロック発振回路３２５により生じるノイズの干渉を受ける虞がない場合もあり得るが、本実施形態では第２クロック発振回路３２５により生じるノイズについては記憶部３２６に記憶されていないので、受信障害の生じる虞のない第１クロック発振回路３２４への切り換えが行われることになる。なお、ステップＳ２３での切り換えに要する時間は例えば６ｍｓ程度という短時間であり、ＣＰＵ３２１の動作に影響を与えることはない。
【００５６】
また、ステップＳ２３からステップＳ３に移行したとき、第１クロック発振回路３２４のクロック周波数による動作状態で、次の受信周波数に切り換えるための選局信号が受信機能制御部３２１ａによりＰＬＬ回路１８に送信されることになる。また、ステップＳ２１での判別が肯定されると、第２クロック発振回路３２５により生じるノイズの干渉を受ける虞がないので、そのままステップＳ１３に移行して以降のステップが繰り返し実行される。
【００５７】
本考案は、上記実施形態のように構成されており、ステップ周波数単位で設定されている受信周波数に切り換えるときに、次に切り換える予定の受信周波数が記憶部３２６に記憶されているノイズの周波数と一致する場合で第１クロック発振回路３２４を用いている場合に第２クロック発振回路３２５に切り換えると共に、次に切り換える予定の受信周波数が記憶部３２６に記憶されているノイズの周波数と一致しない場合で第２クロック発振回路３２５を用いている場合に第１クロック発振回路３２４に切り換えるようにしているので、簡単な構成であるにもかかわらず第１，第２クロック発振回路３２４，３２５から発生する高調波やスプリアス等のノイズによる受信障害が確実に阻止されることになる。
【００５８】
また、上記実施形態では、次の受信周波数に切り換えるための選局信号がＰＬＬ回路１８に送信される前に、その切り換え予定の受信周波数が第１クロック発振回路３２４からのノイズの干渉を受けるか否かが判別され、ノイズの干渉を受ける虞がある場合で第１クロック発振回路３２４を用いている場合に、ノイズの干渉を受けない第２クロック発振回路３２５に切り換えられる一方、第１クロック発振回路３２４からのノイズの干渉を受ける虞がない場合で第２クロック発振回路３２５を用いている場合に第１クロック発振回路３２４に切り換えられるようになっているので、ノイズを放送電波と誤認識して受信するようなことがなくなる結果、ノイズの干渉を受けることなく放送電波を確実に受信することができるようになる。
【００５９】
なお、本考案は、上記実施形態のものに限定されるものではなく、以下に述べるような種々の変形態様を採用することができる。
【００６０】
（１）上記実施形態では、選局動作をオートシーク選局の場合について説明しているが、プリセット選局やマニュアル選局の場合でも同様の選局動作を行わせることができる。例えば、プリセット選局の場合、操作スイッチ３４を操作すると、選局しようとする予め設定された受信周波数に切り換える前にその切り換え予定の受信周波数が記憶部３２６に記憶されているノイズの周波数と一致するか否かを第１判別部３２１ｂにより判別し、一致する場合には切換制御部３２１ｆによりノイズの干渉を受けない他のクロック発振回路に切り換えるようにすればよい。
【００６１】
（２）上記実施形態では、ラジオ受信機１０の全体構成を説明しているが、本考案をラジオ受信機１０を構成するための選局装置とすることも可能である。この場合、選局装置は、少なくとも局部発振回路１６、ＰＬＬ回路１８、混合回路２０及び制御部３２を含んで構成されておればよい。勿論、高周波増幅回路１４、中間周波増幅回路２２、復調回路２４等のうちの１乃至複数の回路を含むようにすることも可能である。要は、局部発振回路の発振周波数を設定変更するＰＬＬ回路に対し選局信号を送信する制御部を備えたスーパーヘテロダイン方式のラジオ受信機が構成可能となるようになっておればよい。
【００６２】
（３）上記実施形態では、ＣＰＵ３２１を動作させるためのクロック発振回路として、第１クロック発振回路３２４と第２クロック発振回路３２５との２つのクロック発振回路を備えているが、これに限るものではない。例えば、３つ以上のクロック発振回路を備えたものとすることも可能である。この場合、切換制御部３２１ｆは、３つ以上のクロック発振回路のうちノイズの干渉を受けない１の発振回路に切り換えるようになっておればよい。
【００６３】
（４）上記実施形態では、記憶部３２６には第１クロック発振回路３２４から発生するノイズだけを記憶させるようにしているが、第１クロック発振回路３２４及び第２クロック発振回路３２５の両方から発生するノイズを各クロック発振回路と対応付けて記憶させておくようにすることもできる。この場合、例えば、図３に示すフローチャートにおけるステップＳ２１を第２クロック発振回路のノイズの干渉領域内にあるか否かを判別するようにすればよい。
【００６４】
（５）上記実施形態では、予め設定された受信周波数に切り換える前に、その切り換え予定の受信周波数が記憶部３２６に記憶されているノイズの周波数と一致し、かつ当該一致するクロック発振回路を用いている場合にノイズの周波数が切り換え予定の受信周波数と一致しない他のクロック発振回路に切り換えるようにしているが、これに限るものではない。例えば、予め設定された受信周波数に切り換えた後に、その切り換えた受信周波数が記憶部３２６に記憶されているノイズの周波数と一致し、かつ当該一致するクロック発振回路を用いている場合にノイズの周波数が切り換えた受信周波数と一致しない他のクロック発振回路に切り換えるようにすることも可能である。この場合、他のクロック発振回路への切り換えが完了するまでミュート回路２６を作動させておけばよい。
【００６５】
【考案の効果】
以上説明したように、請求項１乃至３の選局装置によれば、クロック信号を生成する所定の発振周波数を有する第１クロック発振回路と、受信する放送電波が第１クロック発振回路から発生するノイズにより干渉を受ける場合に第１クロック発振回路に代えて用いる当該第１クロック発振回路とは異なる発振周波数を有するクロック発振回路であり、発生するノイズにより当該放送電波に対して干渉を与えないように発振周波数が選択された第２クロック発振回路と、第１クロック発振回路から発生するノイズのうち放送電波に対して干渉を与えるノイズの周波数が予め記憶された記憶手段と、ステップ周波数単位で設定された受信周波数に切り換えるときに、次に切り換える予定の受信周波数が記憶手段に記憶されているノイズの周波数と一致するか否かを判別する一致判別手段と、一致する場合で第１クロック発振回路を用いている場合に第２クロック発振回路に切り換えると共に、一致しない場合で第２クロック発振回路を用いている場合に第１クロック発振回路に切り換える切換制御手段とを備えているので、クロック発振回路から発生する高調波やスプリアス等のノイズの干渉による受信障害を確実に阻止することができる選局装置が実現される。
【００６６】
また、請求項４乃至６のラジオ受信機によれば、クロック信号を生成する所定の発振周波数を有する第１クロック発振回路と、受信する放送電波が第１クロック発振回路から発生するノイズにより干渉を受ける場合に第１クロック発振回路に代えて用いる当該第１クロック発振回路とは異なる発振周波数を有するクロック発振回路であり、発生するノイズにより当該放送電波に対して干渉を与えないように発振周波数が選択された第２クロック発振回路と、第１クロック発振回路から発生するノイズのうち放送電波に対して干渉を与えるノイズの周波数が予め記憶された記憶手段と、ステップ周波数単位で設定された受信周波数に切り換えるときに、次に切り換える予定の受信周波数が記憶手段に記憶されているノイズの周波数と一致するか否かを判別する一致判別手段と、一致する場合で第１クロック発振回路を用いている場合に第２クロック発振回路に切り換えると共に、一致しない場合で第２クロック発振回路を用いている場合に第１クロック発振回路に切り換える切換制御手段とを備えているので、クロック発振回路から発生する高調波やスプリアス等のノイズの干渉による受信障害を確実に阻止することができるラジオ受信機が実現される。
【図面の簡単な説明】
【図１】本考案の一実施形態に係る選局装置が適用されるラジオ受信機の基本構成を示すブロック図である。
【図２】図１に示すラジオ受信機の実施形態における制御手段のチューニング動作を説明するためのフローチャートである。
【図３】図１に示すラジオ受信機の実施形態における制御手段のチューニング動作を説明するためのフローチャートである。
【符号の説明】
１０  ラジオ受信機
１４  高周波増幅回路
１６  局部発振回路
１８  ＰＬＬ回路
２０  混合回路
２２  中間周波増幅回路
２４  復調回路
２６  ミュート回路
２８  低周波増幅回路
３０  スピーカ
３２  制御手段
３２４  第１クロック発振回路
３２５  第２クロック発振回路
３２６  記憶部（記憶手段）
３２１ａ  受信機能制御部（受信機能制御手段）
３２１ｂ  第１判別部（第１判別手段）
３２１ｃ  第２判別部（第２判別手段）
３２１ｄ  第３判別部（第３判別手段）
３２１ｅ  第４判別部（第４判別手段）
３２１ｆ  切換制御部（切換制御手段）
３２４ａ  第１発振素子（発振素子）
３２５ａ  第２発振素子（発振素子）
３２４ｂ  第１スイッチ部（電子スイッチ素子）
３２５ｂ  第２スイッチ部（電子スイッチ素子）
【手続補正書】
【提出日】平成16年7月12日(2004.7.12)
【手続補正１】
【補正対象書類名】図面
【補正対象項目名】全図
【補正方法】変更
【補正の内容】
【図１】
0003104732.tif 000003
【図２】
0003104732.tif 000004
【図３】
0003104732.tif 000005